(57)【要約】  本発明は、記録担体の第１及び第２の層に記録されるデジタル情報信号を再生する装置に関する。【特許請求の範囲】
【請求項１】
装置であって、記録担体の第１及び第２の層に記録されているデジタル情報信号を再生し、デジタル情報信号はセルに分割され、各セルは少なくとも１つのセクターに記録され、デジタル情報信号は、第１の層に記録される第１のセル及び第２の層に記録される第２のセルを有し、更に第１及び第２のセルは非シームレス方式で順々に提示されなければならないと示す制御データは、前記記録担体に記録され、
前記装置は、
第１のセルを第１の層から及び第２のセルを第２の層から読み出す読み出し手段、
制御データを読み出す読み出し手段、
制御データに基づき制御信号を生成する制御信号生成手段、
第１及び第２のセルを制御信号の制御下で提示する提示手段、
を有し、
制御信号生成手段は、第１のセルが第１の層から読み出され及び第２のセルが第２の層から読み出されることを検出し、第１及び第２のセルが前記検出に基づきシームレスに提示されるよう指示する制御信号を生成するために利用されることを特徴とする、デジタル情報信号再生装置。
【請求項２】
前記記録担体の層は、各それぞれが固有の論理セクター番号を有するセクターを有し、セクターは、連続的に昇順に番号を付され、第１のセルは、連続したセクターに記録され、第２のセルは、第１のセルのセクターに続く連続したセクターに記録され、
制御信号生成手段は、第１のセル及び第２のセルは連続した論理セクター番号から読み出されることを検出し、及び第１及び第２のセルは、前記検出及び第１のセルは第１の層から読み出され第２のセルは第２の層から読み出されることの検出に基づき、シームレスに提示されなければならないと指示する制御信号を生成するよう、更に利用されることを特徴とする、請求項１記載の装置。
【請求項３】
装置は、ＤＶＤ規格に準拠する記録担体の第１及び第２の層に記録されているデジタル情報信号を再生するよう構成されることを特徴とする、請求項１又は２記載の装置。
【請求項４】
方法であって、記録担体の第１及び第２の層に記録されているデジタル情報信号を再生し、デジタル情報信号はセルに分割され、各セルは少なくとも１つのセクターに記録され、デジタル情報信号は、第１の層に記録される第１のセル及び第２の層に記録される第２のセルを有し、更に第１及び第２のセルは非シームレス方式で順々に提示されなければならないと示す制御データは、前記記録担体に記録され、
前記方法は、
制御データを読み出す段階、
第１のセルを第１の層から及び第２のセルを第２の層から読み出す段階、
第１の検出信号を得るために、第１のセルは第１の層から読み出され及び第２のセルを第２の層から読み出されることを検出する段階、
記録担体から読み出された制御データを置き換えるために、第１及び第２のセルが前記第１の検出信号に基づきシームレスに提示されるよう指示する制御信号を生成する段階、及び
制御信号の制御下で第１及び第２のセルを提示する段階
を有する方法。
【請求項５】
前記記録担体の層は、各それぞれが固有の論理セクター番号を有するセクターを有し、セクターは、連続的に昇順に番号を付され、第１のセルは、連続したセクターに記録され、第２のセルは、第１のセルのセクターに続く連続したセクターに記録され、
前記方法は、
第２の検出信号を得るために、第１のセル及び第２のセルは連続した論理セクター番号から読み出されることを検出する段階を更に有し、
生成する段階は、第１及び第２のセルが前記第１の検出信号及び第２の検出信号に基づきシームレスに提示されなければならないと示す制御信号を生成するために利用される、
請求項４記載の方法。
【請求項６】
方法は、ＤＶＤ規格に準拠する記録担体の第１及び第２の層に記録されているデジタル情報信号を再生するよう構成されることを特徴とする、請求項４又は５記載の方法。
【発明の詳細な説明】
【技術分野】
【０００１】
本発明は、特にＤＶＤディスクに関し、より詳細には、ＤＶＤビデオに関する。本発明は、２つの層を有するＤＶＤビデオディスクに関し、以下に説明される。
【背景技術】
【０００２】
一般に知られるように、光学式記憶ディスクは、少なくとも１つのトラックを、連続する螺旋又は複数の同心円の何れかの形式で、情報がデータパターンの形式で格納される記憶空間に有する。光ディスクは広く普及し、複数の異なる種類が開発されている。ある種類は、ＤＶＤ（デジタル・バーサタイル・ディスク）である。
【０００３】
光学式記憶ディスクの記憶空間から読み出される情報の場合、層内のトラックは、光学読み取りビームにより走査される。一般に光ディスク及び情報を光ディスクに格納する方法に関する技術は、既知であり、本願明細書でこの技術を詳細に説明する必要はない。
【０００４】
通常、光ディスクは、記録トラックを有する１つの記録層のみ有している。最近になって、光ディスクは、２つ又はより多くの記録層を有し、各記録層は、螺旋又は複数の同心円の形の記録トラックを有するよう開発されている。このような場合、論理記憶空間は、複数の記録層に亘り、従って、論理アドレスの範囲は、連続的に複数の記録層に亘る。ある記録層の最後のブロックから次の記録層の最初のブロックへの移動は、論理アドレスを１だけ増加させることにより行われる。
【０００５】
ＤＶＤビデオ規格に基づいて作成されたディスクは、２つの層を有して良い。ビデオの容量が大きく、１つの層に格納できない場合、一部は第１の層に格納され、残りの部分は第２の層に格納される。
【０００６】
ＤＶＤビデオ規格によると、データはセルで構成され、ある層から次の層への移行は、セルの境界においてのみ可能である。これは、ビデオデータをディスクから読み出す際に、ビデオ画像の表示がシームレスに連続することが望ましい、という事実に基づく。更にＤＶＤビデオ規格によると、シームレスに現れる２つのセルは、同一の層に位置する。従って、異なる層に記録されている２つのセルが、ＤＶＤビデオ規格に従って、ディスク上で順々に提示される場合、これらのセルは、シームを伴って再生される。ユーザーは、ビデオ内で目に見える一時的な不具合としてこれに気付くだろう。シームは場面の変わり目であることが望ましい。しかしながら、ユーザーは依然として一時的な不具合に気付くだろう。
【発明の開示】
【発明が解決しようとする課題】
【０００７】
本発明の重要な目的は、以上に説明された不利点を克服することである。
【０００８】
本発明の目的は、改善された再生方法を備える装置を提供することである。
【課題を解決するための手段】
【０００９】
本発明は、一般に、記録担体の第１及び第２の層に記録されるデジタル情報信号を再生する装置に関する。デジタル情報信号は、セルに分割される。各セルは、少なくとも１つのセクターに記録される。デジタル情報信号は、第１の層に記録される第１のセル及び第２の層に記録される第２のセルを有する。更に、第１及び第２の層が非シームレス方式で順々に提示されなければならないと示す制御データは、前記記録担体に記録される。
【００１０】
更に詳細には、本発明は、２層ＤＶＤのような光学記録担体に記録されたデジタル情報信号を再生する装置に関する。
【００１１】
本発明は、記録担体の第１及び第２の層に記録されるデジタル情報信号を再生する方法に更に関する。デジタル情報信号は、セルに分割される。各セルは、少なくとも１つのセクターに記録される。デジタル情報信号は、第１の層に記録される第１のセル及び第２の層に記録される第２のセルを有する。更に、第１及び第２の層が非シームレス方式で順々に提示されなければならないと示す制御データは、前記記録担体に記録される。
【００１２】
本発明の主旨は、他の種類の記録可能なディスクに適用できる。従って、以下の説明は、本発明の範囲をＤＶＤディスクにのみ限定すると理解されてはならない。
【００１３】
光ディスクは、読み取り専用の種類であって良い。読み取り専用の種類では、情報は製造中に記録され、情報はユーザーにより読み取りのみ可能である。光学式記憶ディスクは書き込み可能な種類であって良い。書き込み可能な種類では、情報はユーザーにより格納されて良い。このようなディスクは、追記型（Ｒ）と示される、一度だけ書き込みが可能な種類であって良い。このようなディスクはまた、書き換え可能型（ＲＷ）と示される、情報を何回も書き込める記憶ディスクであって良い。ＤＶＤの場合、２つの形式、つまりＤＶＤ−ＲＷ及びＤＶＤ＋ＲＷで区別される。
【００１４】
本発明の装置は、
第１のセルを第１の層から及び第２のセルを第２の層から読み出す読み出し手段、
制御データを読み出す読み出し手段、
制御データに基づき制御信号を生成する制御信号生成手段、
第１及び第２のセルを制御信号の制御下で提示する提示手段、
を有し、
制御信号生成手段は、第１のセルが第１の層から読み出され及び第２のセルが第２の層から読み出されることを検出し、第１及び第２のセルが前記検出に基づきシームレスに提示されるよう指示する制御信号を生成するよう、利用される。
【００１５】
本発明の装置は、記録担体から制御データを読み出す。前記制御データにより、第１のセル及び第２のセルは、順々に提示される。しかしながら、ＤＶＤ規格の制約によると、２つのセルが異なる層に位置する場合、これらのセルは、シームを伴って再生されてしまう。これは制御データの非シームレス再生フラグにより指示される。本発明の装置は、２つのセルが２つの異なる層からか否かを判定する。この場合には、本装置は、非シームレス再生フラグはＤＶＤビデオ規格に基づくと見なし、提示手段へ、２つのセルはシームレスに提示されなければならないと指示する制御信号を転送する。
【００１６】
本発明の別の実施例では、制御信号生成手段は、第１のセル及び第２のセルは連続した論理セクター番号から読み出されることを検出し、及び第１及び第２のセルは、前記検出及び第１のセルは第１の層から読み出され第２のセルは第２の層から読み出されることの検出に基づき、シームレスに提示されなければならないと指示する制御信号を生成するよう、更に利用される。これは追加試験であり、セルが論理アドレス空間に隣接して書き込まれているか否かを検証する。２つのセルが順々に提示されなければならず、隣接して格納されている場合、非シームレス再生フラグはＤＶＤビデオ規格に準拠し、このフラグをビデオコンテンツのために用いる必要はなく、及びＤＶＤの作者は２つのセルをシームレスに再生するために良い位置であると見なすことが、明らかである。
【実施例】
【００１７】
本発明の実施例は、図を参照し、例を用いて、より詳細に説明される。
【００１８】
図１は、データ記憶システム１を示すブロック図である。データ記憶システム１は、データ記憶媒体２、媒体アクセス装置１０、及びホスト装置２０を有する。典型的な実際の実装では、ホスト装置２０は適切に調整されたパーソナルコンピューター（ＰＣ）であって良い。またデータ記憶システム１は、ビデオレコーダーのような専用のユーザー装置として実現されて良く、この場合、ホスト装置２０はそのような装置のアプリケーション部分である。具体的な実施例では、データ記憶媒体２は光ディスク、特にＤＶＤとして実現され、及び媒体アクセス装置１０はディスクドライブとして実現される。以下に、本発明は、特に光ディスクの例に関して説明されるが、本発明は光ディスクに限定されるものではない。
【００１９】
光ディスク２は、情報がデータパターンの形式で格納される、２つ以上の連続する螺旋状のトラック又は複数の同心円状のトラックを有する記憶空間３を有する。この技術は当業者に広く知られているので、本願明細書で更に詳細に説明しない。
【００２０】
記憶空間３の複数のトラックは、光ディスク２の異なる記録層に位置する。これら記録層は、Ｌ０、Ｌ１等と示される。図２Ａは、記憶空間３を示す図である。記憶空間３は、長い帯の集合として示され、光ディスク２が２つの記録層を有する場合、各帯は記録層Ｌ０、Ｌ１に相当する。記憶空間３は、多数のブロック４に分けられる。各ブロックは、物理アドレスを有する。物理アドレスは、以後ＰＡと示される。図２Ａでは、物理アドレスＰＡは、ブロック４の下に示される。各記録層Ｌ０、Ｌ１では、物理アドレスの番号は０（図２Ａの一番左）から始まる。それぞれ後のブロックは、前のブロックより１つ大きいアドレスを有する。最後のブロックは最も大きいアドレスＰ０、Ｐ１を有する。２つの記録層Ｌ０及びＬ１の大きさが等しい場合、Ｐ０＝Ｐ１である。
【００２１】
殆どのブロックは、論理アドレスを有する。論理アドレスは、以後ＬＡと示される。図２Ａでは、論理アドレスはブロック４の上に示される。番号はＬ０の特定のブロック、通常はＰＡ＝３００００Ｈｅｘを有するブロックのＬＡ＝０から始まる。
【００２２】
Ｌ０内の最も大きい論理アドレスは、Ｎとして示され、必ずしもＬ０の最後のブロックである必要はない。
【００２３】
次の記録層Ｌ１内の最も小さい論理アドレスは、特定のブロックのＬＡ＝Ｎ＋１である。このブロックは必ずしも最初のブロックである必要はなく、通常はＬ１内のＰＡ＝３００００Ｈｅｘを有するブロックである。つまり、第１の記録層Ｌ０内の最初の論理アドレスＬＡ＝０と同じ物理アドレスであるが、必須ではない。
【００２４】
最も大きい論理アドレスは、Ｎとして示される。これは必ずしもＬ１の最後のブロックである必要はない。
【００２５】
第１の記録層Ｌ０では、２つのブロックを比較すると、より大きい論理アドレスを有するブロックが、より大きい物理アドレスを有する。図２Ａの第２の記録層Ｌ１も同様である。このような構成は、ＰＴＰ（パラレル・トラック・パス）と称される。図２Ｂは、図２Ａと比較される、ＯＴＰ（オポジット・トラック・パス）の場合の図である。ＯＴＰでは、論理アドレスが大きくなる程、物理アドレスは小さくなる。Ｌ０内のブロックＬＡ＝Ｎの半径方向の位置は、図に示されるように、Ｌ１内のブロックＬＡ＝Ｎ＋１の半径方向の位置に対応する。
【００２６】
論理アドレスを有するブロックは共に、論理記憶空間（ＬＳＳ）を定義する。図２Ｃは、ＬＳＳを１つの長い連続した帯として示す図である。ＬＳＳでは、アドレス範囲は０からＭである。ホスト装置２０は、ある情報にアクセスしたい場合、ディスクドライブ１０に対応する論理アドレスを示す要求を送信する。ディスクドライブ１０は、論理アドレスＬＡと物理アドレスＰＡの間の関連に関する情報を、例えばルックアップテーブルの形式で有する記憶装置１１を有する。この情報に基づき、ディスクドライブ１０は、どの記録層及びどの物理アドレスが要求された論理アドレスに対応するかを決定する。
【００２７】
ＰＡ＜３００００Ｈｅｘを有するブロックは、ＤＶＤ上のリードイン領域のために利用される。リードイン領域は、層の数、Ｌ０のサイズ、及び論理アドレスＭを有するブロックの位置に対応する最後の物理アドレスＰＡ等のディスク個別の情報を格納するために用いられる。Ｌ０の大きさは、Ｌ０上の論理ブロックの数又はＬ０内の最も大きい論理アドレスの位置に対応する最後の物理アドレスＰＡとして表現されて良い。ディスクドライブは、リードイン領域に格納された情報を読み出すことができる。更に、論理記憶空間が始まる物理アドレスは、リードイン領域内に指定される。これはＬＡ＝０を有する論理ブロックである。物理アドレスは、ＤＶＤディスク上の３００００Ｈｅｘである。
【００２８】
図３は、図２Ｃと比較し、ＬＳＳを示す図である。図３はまた、例えば映画に対応するビデオシーケンス３０を、Ｌ０内の位置からＬ１内の位置に亘る帯として示す。ビデオシーケンス３０は、３１から始まり３９で終わる。ビデオシーケンス３０のデータは、ビデオセル３５を定義する。ビデオセル３５の間のセルの境界は、３４で示される。「ビデオセル」は、ＤＶＤ  Ｖｉｄｅｏ  ＳｐｅｃｉｆｉｃａｔｉｏｎのパートＩＩＩを参照のこと。ビデオセルは、範囲０．４から１．０秒の提示時間でビデオストリームの一部を構成し、ビデオ、音声、及びグラフィック信号の複合体である。ＤＶＤ  Ｖｉｄｅｏ  Ｓｐｅｃｉｆｉｃａｔｉｏｎによると、セルは、１つの同じ層に位置しなければならない。更に、シームレスに提示される２つのセルは、同一の層に位置しなければならない。従って、セルの境界３４は、Ｌ０からＬ１への層の切り替え位置に対応する。更に、Ｌ１上のセルの最初のブロックは、論理アドレスＮ＋１を有し、ビデオシーケンス内の前のセルの最後のブロックは、論理アドレスＮを有する。
【００２９】
図１では、ホスト装置２０とディスクドライブ１０の間のホスト／ドライブ通信接続は、５で示される。同様に、ディスクドライブ１０とディスク２の間のドライブ／ディスク通信接続は、６で示される。ドライブ／ディスク通信接続６は、物理的な（光学的な）リード／ライト動作と共に、記憶空間３のブロック４の物理的なアドレス付けを表す。ホスト／ドライブ通信接続５は、データ転送パスと共に、コマンド転送パスを表す。
【００３０】
図４は、本発明の再生装置４００を示すブロック図である。本装置は、記録担体２から制御データを読み出す第１の読み出し部４０を有する。これらの制御データは、再生装置が記録担体２上のデジタル情報信号をどのように再生するかを決定する条件を定義する。制御データの読み出しは、制御信号生成部４２へ供給される。制御データは、提示部４６に、論理記憶空間内の、セルの最初の論理アドレス及びセルの最後の論理アドレスを決定させる。この情報は、読み出し部４４に、論理記憶空間からの前記セルに対応する論理ブロックを読み出すよう指示するために用いられる。当業者には、これらの論理アドレスをＤＶＤ上の制御データからどのように計算するかは既知である。更に、セル毎にシームレス再生フラグを用いて、前記セルがシームレスに提示されるべきか否かが、前のセルの提示後に決定される。従来のＤＶＤプレイヤーでは、このフラグは、提示部４６に渡される。本装置は、デジタル情報信号を記録担体２から読み出す第２の読み出し部４４を更に有する。デジタル情報信号は、ビデオ、音声、及びグラフィック信号を有する複合的なストリームである。デジタル情報信号は、記録担体上のブロックに格納される一連のセルに更に分けられる。記録担体から読み出されるデジタル情報信号は、提示部４６の入力に供給される。提示部４６は、デジタル情報信号内のビデオ、音声、及びグラフィック信号を復号し、各信号を結合し、ＴＶ、ＬＣＤ、又はプロジェクターのような表示装置に供給されるべき出力信号４８を得る。読み出し部４０により読み出された制御データは、制御信号生成部４２へ供給される。制御信号生成部４２は、制御データに基づき、デジタル情報信号の内容を復号する方法、及び提示部４６により提示する方法を決定する。図４の第１及び第２の読み出し部は、通常、図１のディスクドライブ１０の一部である。図４の制御信号生成部４２及び提示部４６は、通常、図１のホスト装置２０の一部である。しかしながら、実装により、一部の機能はホスト装置又はディスクドライブで実行されて良い。
【００３１】
第１の読み出し装置４０は更に、光ディスクのリードイン領域から情報を読み出す。この情報に基づき、再生装置４００は、どの層にセルを格納するかを決定できる。第１の層の大きさは、パラメーターＬ０sizeにより定義されて良い。Ｌ０sizeが第１の層Ｌ０の最後のブロックの論理アドレス、つまり図２のＮとして定義される場合、前記セルの最初のブロックの論理アドレスが範囲［０．．．Ｎ］なら、セルは、第１の層に位置する。及び前記セルの最初のブロックの論理アドレスが範囲［Ｎ＋１．．．Ｍ］なら、セルは、第２の層に位置する。ここでＭは、論理記憶空間ＬＳＳ内の最後のブロックの連続番号である。Ｌ０sizeが第１の層の論理記憶空間により利用される最後のブロックの物理アドレスとして定義される場合、装置は更に、第１の層Ｌ０の論理記憶空間により利用される第１の層の物理アドレスを知る必要がある。論理記憶空間により利用される最後の物理アドレスの番号と記憶空間により利用される最初の物理アドレスとの番号との差は、第１の層の論理アドレスの範囲を規定する。ＤＶＤでは、論理記憶空間により利用される第１の物理アドレスは、３００００Ｈｅｘである。
【００３２】
制御信号生成部４２は、２つの連続したセルの第１のセルにより利用される論理アドレスの開始アドレス及び前記２つの連続したセルの第２のセルにより利用される論理アドレス及びパラメーターＬ０sizeに基づき、第１のセルが第１の層から読み出され第２のセルが第２の層から読み出されるか否かを検出する。その場合、記録担体から読み出された制御データ内のシームレス再生フラグは、２つのセルはＤＶＤ規格におけるシームを伴って提示されるべきであることを示す。前記フラグは、通常、規格に基づき設定されるので、及び前記セルはシームレスに提示されないからではなく、本発明の装置における制御信号は、第１及び第２のセルがシームレスに提示されなければならないと示す制御信号の前記検出に基づき、生成される。提示部４６は、従って、第１及び第２のセルを、前記制御信号の制御下でシームレスに提示する。
【００３３】
再生装置の別の実施例では、制御信号生成部４２は、更に、第１のセル及び第２のセルは連続した論理セクター番号から読み出されることを検出し、及び第１及び第２のセルは、前記検出及び第１のセルは第１の層から読み出され第２のセルは第２の層から読み出されることの検出に基づき、シームレスに提示されなければならないと指示する制御信号を生成する。どの層に第１及び第２のセルが格納されているかという検出は、以上に説明された。制御信号生成部４２は、第１及び第２のセルが連続した論理セクター番号を有するブロックから読み出されるか否かを、制御データから第１のセルの最後の論理ブロックのアドレスを示す第１のパラメーターＣ＿ＬＶＯＢＵ＿ＥＡ及び第２のセルの最初の論理ブロックのアドレスを示す第２のパラメーターＣ＿ＦＶＯＢＵ＿ＳＡを読み出すことにより、検出し、そして第１のパラメーター及び第２のパラメーターが連続したアドレス値を有するか否かを判定する。
【００３４】
本発明は、好適な実施の形態を参照して説明されたが、これらは非限定的な例である。従って、当業者は、請求項により定義される本発明の範囲から逸脱することなく種々の変更が考えられる。例えば、マルチアングル機能を備えるディスクの場合、場面を複数のアングルに切り替えられる。これらの場面は全て、シームレスに再生されるだろう。しかしながら、レイヤーダンプにより、第１のセルの後に提示されるべきアングルを提示するセルのそれぞれは、第１のセルと異なる他の層に格納されて良い。従って、シームレスに提示されなければならない２つのセルは、必ずしも連続するブロックに格納されない。
【００３５】
「有する」という動詞及び活用表現は、請求項に述べられる要素又は段階の他の存在を排除するものではない。更に、「１つの」又は「ある」という要素の修飾語は、複数の要素の存在を排除するものではない。請求項では、括弧で示される如何なる参照符号も請求項の範囲を制限すると見なされるものではない。本発明は、ハードウェアと同様にソフトウェアを用いて実施されて良い。複数の「手段」は、ハードウェアの同一の部分により実現されて良い。更に、本発明は各特長又は特長の組み合わせを含む。
【図面の簡単な説明】
【００３６】
【図１】データ記憶システムを示すブロック図である。
【図２Ａ】ＰＴＰ配置の記憶媒体のダブルトラック記憶空間を示す図である。
【図２Ｂ】ＯＴＰ配置の記憶媒体のダブルトラック記憶空間を示す図である。
【図２Ｃ】論理記憶空間を示す図である。
【図３】論理記憶空間とビデオシーケンスを示す図である。
【図４】本発明の再生装置を示すブロック図である。
【図１】
2007508659.tif 000002
【図２Ａ】
2007508659.tif 000003
【図２Ｂ】
2007508659.tif 000004
【図２Ｃ】
2007508659.tif 000005
【図３】
2007508659.tif 000006
【図４】
2007508659.tif 000007